(57)【要約】【課題】グリル扉の開閉操作に際して衝突音や振動音の発生を抑制することができるグリル装置を提供する。【解決手段】内部に加熱手段を備えるグリル庫８と、グリル庫８の前面開口を開閉自在に閉塞するグリル扉９とを備える。グリル庫８とグリル扉９との間に耐熱性を有する緩衝体２０を設ける。グリル扉９が緩衝体２０を介してグリル庫８に当接することにより、衝撃を緩和して衝突音や振動音の発生を抑制する。【選択図】図３
2018013284.tif 000002
【特許請求の範囲】
【請求項１】
内部に加熱手段を備えるグリル庫と、該グリル庫の前面開口を開閉自在に閉塞するグリル扉とを備えるグリル装置において、
前記グリル庫と前記グリル扉との間に耐熱性を有する緩衝体を設け、前記グリル扉が前記緩衝体を介して前記グリル庫に当接するように構成されていることを特徴とするグリル装置。
【請求項２】
前記緩衝体は、金属製細線によって不織布状に形成されたものが採用されていることを特徴とする請求項１記載のグリル装置。
【請求項３】
前記緩衝体は、汚染防止用の被覆が施されていることを特徴とする請求項１又は２記載のグリル装置。
【発明の詳細な説明】
【技術分野】
【０００１】
本発明は、焼き物調理等を行うためのグリル装置に関する。
【背景技術】
【０００２】
従来、この種のグリル装置として、グリル庫の前端の開放部がグリル扉に閉塞され、グリル扉を把持して引っ張ることによりグリル扉に連結されているグリル皿がグリル庫から引き出されるものが知られている（例えば、下記特許文献１参照）。この種のグリル装置は、グリル庫の両側にレールが設けられており、このレールの案内によりグリル扉の引き出し操作が円滑に行われるようになっている。
【先行技術文献】
【特許文献】
【０００３】
【特許文献１】特開２００８−２９５６７１号公報
【発明の概要】
【発明が解決しようとする課題】
【０００４】
ところで、上記従来のものでは、引き出し状態のグリル扉を押し戻してグリル庫を閉じるとき、操作時の勢いが余ってグリル扉がグリル庫の前端に衝突することがあり、このときに衝突音や、グリル庫内でのグリル皿等の振動音が発生することにより、使用者に不快感を与える不都合がある。
【０００５】
上記の点に鑑み、本発明は、グリル扉の開閉操作に際して衝突音や振動音の発生を抑制することができるグリル装置を提供することを目的とする。
【課題を解決するための手段】
【０００６】
かかる目的を達成するために、本発明は、内部に加熱手段を備えるグリル庫と、該グリル庫の前面開口を開閉自在に閉塞するグリル扉とを備えるグリル装置において、
前記グリル庫と前記グリル扉との間に耐熱性を有する緩衝体を設け、前記グリル扉が前記緩衝体を介して前記グリル庫に当接するように構成されていることを特徴とする。
【０００７】
これによれば、前記グリル庫と前記グリル扉とが前記緩衝体を介して互いに当接するので、前記グリル庫と前記グリル扉との両当接面が互いに当接する際の衝撃が緩和され、衝突音や振動音の発生を抑制することができる。
【０００８】
また、本発明において、前記緩衝体は、金属製細線によって不織布状に形成されたものが採用されていることが好ましい。緩衝体を金属製とすることにより耐熱性を得ることができ、不織布状に形成することにより適度な緩衝性を得ることができる。しかも、金属製細線により不織布状に形成することで、緩衝体を比較的軽量とすることができ、例えば、グリル扉の重量増加を抑えてグリル扉に緩衝体を設けることができる。
【０００９】
また、本発明において、前記緩衝体は、汚染防止用の被覆が施されていることが好ましい。これによれば、例えば、調理の際に油等が緩衝体に付着することによる緩衝作用の低下を防止することができ、掃除や手入れ等の使用者負担を軽減することができる。
【図面の簡単な説明】
【００１０】
【図１】本発明の実施形態のグリル装置を具備するコンロの斜視図。
【図２】グリル扉の裏面側の緩衝体を示す図。
【図３】グリル扉とグリル庫との当接状態を示す説明図。
【図４】緩衝体の一例を示す斜視図
【図５】緩衝体の取り付け状態の一例を示す説明的断面図。
【図６】緩衝体の取り付け状態の他の例を示す説明的断面図。
【図７】グリル庫への緩衝体の取付け例を示す説明図。
【図８】グリル扉への緩衝体の他の取付け例を示す説明図。
【図９】グリル庫への緩衝体の他の取付け例を示す説明図。
【発明を実施するための形態】
【００１１】
本発明の一実施形態を図面に基づいて説明する。図１は、システムキッチンのカウンタトップ(図示せず)に組み込むビルトイン式コンロを示している。
【００１２】
このコンロは、カウンタトップに開設した開口に落とし込むようにして設置するコンロ本体１と、コンロ本体１の上面を覆うようにしてカウンタトップに載置する天板２とを備えている。コンロ本体１には、前側の左右２個と後側の１個の計３個のコンロバーナ３が配置されると共に、グリル装置４が内蔵されている。そして、天板２に、これら各コンロバーナ３を臨ませる開口を形成して、各開口を囲うように五徳５を載置している。
【００１３】
天板２の後部にはグリル装置４用の排気口が開設され、この排気口を覆う排気カバー６が載置されている。各コンロバーナ３には、その内周空間に位置させて、五徳５上の調理容器の底面に当接してその温度を検出する鍋底温度センサ７が付設されている。
【００１４】
カウンタトップの下で前方に露出するコンロ本体１の前面部分には、後述するグリル庫８の前面開口を閉じるグリル扉９とその左右の前面パネル１０とが設けられている。各前面パネル１０には、各コンロバーナ３やグリル装置４に対応する複数の操作摘み１１が前面パネル１０の前方に突没自在に組み込まれている。グリル装置４は、コンロ本体１内に設置されるグリル庫８と、グリル庫８の前面を開閉自在に閉塞するグリル扉９とを備えている。
【００１５】
グリル庫８には、焼き網１２をその前後に垂設した脚片部１３を介して載置するグリル皿１４と、グリル皿１４を支持する図示しない皿支持枠とが収納されている。皿支持枠の先端にはグリル扉９が連結されており、グリル扉９の取っ手１６を把持して前方に引っ張ることで、焼き網１２及びグリル皿１４を引き出すことができるようになっている。なお、図１は、焼き網１２及びグリル皿１４を引き出した状態を示している。グリル庫８は、図示しないが、内側上部に加熱手段としての上火バーナを備え、横方向内側に加熱手段としての下火バーナを備えている。
【００１６】
グリル庫８の横方向両側には、グリル扉９の引き出し操作を案内するレール機構１９が設けられている。レール機構１９は、前方に伸長するレール可動部１９ａを備え、レール可動部１９ａは、先端がグリル扉９に連結され、コンロ本体１の内部に固定された図示しない固定案内部に進退方向に案内される。
【００１７】
レール機構１９は、図示しない引き込み機構を備えている。引き込み機構は、グリル扉９がグリル庫８の前面開口を閉じる直前から完全に閉じるまでの間、グリル扉９に対して閉じる方向の付勢力を付与する。これにより、グリル扉９がグリル庫８の前面開口を確実に閉じるようになっている。
【００１８】
また、図２に示すように、グリル扉９の裏面側には、複数の緩衝体２０が取り付けられている。緩衝体２０は、グリル庫８の前面開口の外周の開口枠８ａ（図１参照）に対応する位置に配設されている。グリル扉９がグリル庫８の前面開口を閉じるとき、グリル庫８の開口枠８ａの面にグリル扉９の裏面が当接するが、図３に模式的に示すように、グリル扉９とグリル庫８の開口枠８ａとの間に緩衝体２０が介在することにより、グリル扉９がグリル庫８に当接する際の衝撃が緩和され、衝突音や振動音の発生が抑制される。
【００１９】
本実施形態における緩衝体２０は、金属製細線によって不織布状に形成された緩衝性を有するブロックを採用した。この緩衝体２０の材料として好適に採用されるものは、例えば、図４に示すものであり、簡単な加工（裁断等）で所望の形状が得られるものである。なお、緩衝体２０の形状は円板形状、ドーナツ状、或いは四角板状等の多角形等が挙げられ、取り付け場所に応じて適宜選択して用いることができる。
【００２０】
緩衝体２０は、金属製であることにより耐熱性を有し、不織布状であることにより緩衝性を有している。特に、本実施形態のように加熱手段として上火バーナや下火バーナを備えるグリル装置４の場合、３００℃以上の耐熱性が必要であるが、緩衝体２０を金属製としたことにより、高い耐熱性を容易に得ることができる。
【００２１】
更に、緩衝体２０は、図示しないが、汚染防止用の被覆が施されている。汚染防止用の被覆として、具体的には、フッ素コートやＤＬＣ（Diamond-Like Carbon）コートを挙げることができる。緩衝体２０に汚染防止用の被覆を施すことにより、緩衝体２０の耐久性が向上すると共に、掃除や手入れ等の使用者負担が軽減できる。特にＤＬＣコートは、周知の通り、低摩耗性（高硬度）、低摩擦係数、耐凝着性、耐腐食性を有するだけでなく、３００℃〜５００℃の耐熱性を有することにより、本実施形態の緩衝体２０に最も好適に採用することができる。
【００２２】
緩衝体２０は、図５Ａに示すように、グリル扉９の裏面板９ａに形成した支持部９ｂに支持されている。そして、グリル扉９がグリル庫８の前面開口を閉じると、図５Ｂに示すように、緩衝体２０がグリル扉９とグリル庫８とに挟み込まれて圧縮される。これにより、緩衝体２０の緩衝作用が発揮される。このとき、グリル庫８の開口枠８ａに凹部８ｂを形成しておくことで、凹部８ｂに緩衝体２０を収容してグリル扉９とグリル庫８との隙間を小さくすることができる。
【００２３】
ここで、本発明者は、本実施形態のグリル装置４と、緩衝体２０を設けていないグリル装置とで、グリル扉９のグリル庫８への押し込み動作に際して発生する音圧レベルを測定した。その結果、緩衝体２０を設けていないグリル装置では、グリル扉９がグリル庫８を閉じたときの音圧レベルが７１．８ｄＢであったのに対し、本実施形態のグリル装置４のグリル扉９がグリル庫８を閉じたときの音圧レベルは６５．９ｄＢであった。このことから、本実施形態のグリル装置４は、緩衝体２０の緩衝作用が十分に発揮され、衝突音や振動音を低減する効果が得られることが明らかとなった。
【００２４】
また、緩衝体２０は、図６Ａに示すように、グリル扉９の裏面板９ａにビス２１を用いて取り付けてもよい。これによっても、図６Ｂに示すように、緩衝体２０は、グリル扉９とグリル庫８とに挟み込まれて圧縮されて緩衝作用を発揮する。
【００２５】
なお、緩衝体２０は、図２に示すように、グリル扉９の裏面板９ａに設けてもよいが、これに替えて、図７に示すように、グリル庫８の前面開口の外周の開口枠８ａに設けてもよい。
【００２６】
また、図８に示すように、グリル扉９の裏面板９ａの外側全周に緩衝体２２を設けてもよく、或いは、図９に示すように、グリル庫８の開口枠８ａの全周に緩衝体２２を設けてもよい。これによれば、グリル庫８をグリル扉９が閉じたときのシール性を向上させることができる。
【００２７】
また、本実施形態においては、緩衝体２０として最も好適な金属製細線を材料として用いたが、それ以外に、金属製繊維によるスチールウール、ガラス繊維によるガラスウール等を用いて緩衝体を形成してもよい。
【００２８】
また、実施形態においては、ドロップイン式コンロに組み込むグリル装置４に本発明を適用したものについて説明したが、卓上式コンロに組み込むグリル装置、更にはコンロに組み込まずに独立して設けられるグリル装置にも同様に本発明を適用することができる。
【符号の説明】
【００２９】
４…グリル装置、８…グリル庫、９…グリル扉、２０，２２…緩衝体。
【図１】
2018013284.tif 000003
【図２】
2018013284.tif 000004
【図３】
2018013284.tif 000005
【図４】
2018013284.tif 000006
【図５】
2018013284.tif 000007
【図６】
2018013284.tif 000008
【図７】
2018013284.tif 000009
【図８】
2018013284.tif 000010
【図９】
2018013284.tif 000011